(57)【特許請求の範囲】
【請求項１】
端末に対し通常サービスのセッションの制御を行うＳＩＰサーバと端末のプレゼンス情報を管理するプレゼンスサーバとを備えると共に他のサービス用サーバとＳＩＰゲートウェイサーバを介して接続されたＩＰ対応のネットワークにおける異なるサービス間でのサービス利用状況の共有方式において，
前記他のサービス用サーバは当該サービスを要求する端末によるログイン，サービス開始等の状態の発生に対し，サービスの提供を行うと共に前記通常サービス用のプレゼンスサーバに対し前記ＳＩＰゲートウェイサーバを介して前記端末の状態を通知する手段を備え，
前記プレゼンスサーバは，前記他のサービスを受ける端末のプレゼンス情報を格納する仮想加入者データ格納部と，前記ＳＩＰサーバによる通常サービスを受ける加入者の情報として，各加入者毎にユーザ名，アドレス情報と共にプレゼンス情報を通知して欲しいユーザのリストが登録された加入者データ格納部とを備え，前記他のサービス用サーバから利用者の状態通知を受け取ると前記仮想加入者データ格納部に設定して，前記加入者データ格納部を検索して，前記ユーザのリストに前記他のサービスの利用者が登録されていると前記加入者データ格納部の対応する加入者に対して当該他のサービスの利用者の状態を通知することを特徴とする異なるサービス間でのサービス利用状況の共有方式。
【請求項２】
請求項１において，
前記プレゼンスサーバは，前記他のサービス用サーバの利用者が自端末のプレゼンス情報を他の利用者により参照することを許可するか否かの情報が予め登録されたプレゼンス参照許可データ格納部を備え，前記他のサービス用サーバから前記状態通知を受け取ると，前記プレゼンス参照許可データ格納部を参照して，許可することが登録されていると，前記仮想加入者データ格納部へプレゼンス情報を設定することを特徴とする異なるサービス間でのサービス利用状況の共有方式。
【請求項３】
請求項１において，
前記仮想加入者データ格納部に各データ領域の空・塞を表すデータ登録空塞表を設け，
前記プレゼンスサーバは，予め設定された周期で起動して，利用者用のデータ領域が塞がりに設定され，そのプレゼンス情報が「未ログイン」の状態であると現在の時間と前記登録された時間情報が予め設定された時間を経過しているか判別し，設定された時間を越えていることを検出すると前記データ登録空塞表の対応するフラグをオフに設定することを特徴とする異なるサービス間でのサービス利用状況の共有方式。
【発明の詳細な説明】
【技術分野】
【０００１】
本発明は，通常サービスのセッションの制御を行うＳＩＰサーバとプレゼンス情報を管理するプレゼンスサーバとを備えると共に他のサービス用サーバとＳＩＰゲートウェイサーバを介して接続されたＳＩＰのプロトコルを用いたネットワークにおいて，該当ユーザが他のサービスを受けている場合には通常サービスを受ける端末でも他のサービスを受ける端末のサービス利用状況を知ることができる異なるサービス間でのサービス利用状況の共有方式に関する。
【背景技術】
【０００２】
インターネット上でのマルチメディアの通信を実現する基盤となるプロトコルとしてＩＥＴＦ（Internet Engineering Task Force)においてＳＩＰ（Session Initiation Protocol)という通信プロトコルが標準化されている（ＲＦＣ３２６１等）。ＳＩＰではプレゼンス情報（端末の状態）をパケットによりプレゼンスサーバで収集し，呼制御を行うＳＩＰサーバ（またはセッション制御サーバ）による接続制御においてプレゼンス情報を参照し，制御に利用する。
【０００３】
このプレゼンス情報は，ＩＥＴＦにおいて採用されているＩＭ(Instant Message) の技術と同様にメッセージを送信しようとする相手がオンラインになった時送信相手先にメッセージが通知される仕組みである。この技術によりユーザ宅内のＰＣ（パーソナルコンピュータ）等から自プレゼンス（状態）を登録・変更することが可能であり，同じネットワーク・サービスを受ける同じ通信事業者のＩＰ網に加入している利用者（同一ＩＰ網の端末）同士の間では相手のプレゼンス（状態：オフライン，ログイン中，取り込み中，・・・等）を確認することによりＶＯＩＰ（Voice Over IP)の通信開始可能か，またはチャット開始可能か，等を判断することができる。なお，ＳＩＰによるインスタントメッセージングとプレゼンスについてＳＩＰを拡張したＳＩＭＰＬＥ（SIP for Instant Messaging and Presence Leveraging Extensions) と呼ばれるプロトコルも使用されている。
【０００４】
図６は従来のプレゼンス情報管理のシステムの構成を示す図である。図中，５０はプレゼンス情報の通知機能（プレゼンス機能という）を持つ端末であり，図６の例はＰＣ（パーソナルコンピュータ）の場合である，５１は端末５０とネットワーク（インターネット）で接続されてＳＩＰプロトコルによる呼制御を行うＳＩＰサーバ，５１０は自局収容加入者（プレゼンス機能の有無に関係なく各端末のログイン（使用中），ログアウト（空き））という，呼制御に必要な情報を保持する自局収容加入者データ格納部，５２は加入者のプレゼンス情報を管理してユーザに提供するサービスを行うプレゼンスサーバ，５２０はプレゼンス機能を備えた各端末のユーザについてのプレゼンス情報（ログイン，通話中，ログアウト，取り込み中，離席状態，等の各種の状態を含む）を格納するプレゼンスユーザデータ格納部である。
【０００５】
図６のシステムでは，端末５０からの「ＲＥＧＩＳＴＥＲ」（ユーザのＵＲＬ登録），「ＩＮＶＩＴＥ」（セッション参加要求），「ＢＹＥ」（セッション終了），「ＮＯＴＩＦＹ」（要請されたイベントの通知），等のメッセージが発生すると，始めにＳＩＰサーバ５１へ送信され，その応答結果をもとにプレゼンスサーバ５２へシーケンシャルに送られる。ＳＩＰサーバ５１では信号受付部５１ａで受付けて，信号分析部５１ｂで信号が分析され，分析により得られた端末５０の状態の情報が信号処理部５１ｃにより自局収容加入者データ格納部５１０に書込まれる。プレゼンスサーバ５２でもＳＩＰサーバ５１と同様の構成である信号受付部５２ａ，信号分析部５２ｂ，信号処理部５２ｃで受け取ったメッセージについて処理が行われて状態情報がプレゼンス状態変更部５２ｄに供給されると，プレゼンスユーザデータ格納部５２０の当該端末５０のユーザデータに対応するデータを状態情報に応じて書き込む。
【０００６】
なお，プレゼンスユーザデータ格納部５２０には，ユーザ名（ｎ）毎に情報を格納する領域が設けられ，日付，時間（ログイン，接続，切断）５２０ａ，プレゼンス状態の情報（通話中，ログアウト，取りこみ中，離席中，・・・等）５２０ｂ，更に「気に入りリスト」５２０ｃが含まれ，気に入りリスト５２０ｃには当該ユーザ名の状態情報が変更された時に，変更された状態情報を通知しても良い相手として予め登録された他のユーザ（端末）のリストである。プレゼンスサーバ５２がプレゼンス状態変更部５２ｄでデータを書き込んだ後，気に入りデータ処理部５２ｅが駆動されてプレゼンスユーザデータ格納部５２０の当該ユーザ（端末５０）のために登録された「気に入りリスト」を参照して，リストに登録された各相手先に対して変更されたばかりの状態情報を通知（ＮＯＴＩＦＹ：メッセージを送信）する処理を行う。
【０００７】
一方，近年ＩＰ通信網に接続されたユーザの端末に対して各種の通信サービスをそれぞれ異なる通信網に所属するサーバによって提供されることが多くなった。例えば，通信相手を呼出してセッションを形成して，相互に音声と映像とにより通信を行う音声・映像通信サービスはＩＰ網の通信事業会社（キャリア）のＳＩＰサーバにより広く提供されており，上記図６に示すようなＳＩＰサーバとユーザの状態を管理するプレゼンスサーバが備えられている。これに対し，他のサービスとして，例えば，映画等の動画や，音楽等のコンテンツをユーザに提供するコンテンツ配信サーバが音声・映像通信サービスを行うＩＰ網と同じ網内に配置されていても，各ＳＩＰサーバがそれぞれのＳＩＰゲートウェイサーバを介して接続する形態で運用されるようになっており，同じユーザが複数のサービスを受けることができるようになっている。
【０００８】
このように音声・映像通信サービスを受けるユーザ端末は，近くにいる知り合いのユーザがどのようなサービスを受けているかサービスを受ける知り合いのユーザの状態（他のサービスのサーバへのログインや，サービスを受けている状態，ログアウト等）を識別したいという要求がある。
【０００９】
従来のプレゼンス機能を持つ端末を含むシステムでは，ＩＰ通信各サービスの利用状況（プレゼンス状態）は，各サービス毎に独立してサービス利用状況（プレゼンス状態）の参照が可能である。このため，複数のサービスを受けているユーザは，各サービスにログインし，サービス利用状況を参照していた。
【００１０】
なお，異なる通信網に跨がってプレゼンス情報を送受する方法が提案されている（特許文献１参照）。図７は提案されたプレゼンス表示システムを示す図であり，図中，６０ａは企業側に設けられたＳＩＰによる電話網であるＳＩＰフォンシステムに接続するＳＩＰフォン，６０ｂはインターネットに接続するＰＣ（パソコン），６０ｃはＰＣ（パソコン），６０ｄ，６０ｅは移動機，６１は基地局，６２は複数の基地局及びインターネット６３と接続するコアネットワーク，６３はインターネット，６４ａは企業側のＳＩＰゲートウェイ（ＳＩＰＧ／Ｗ），６４ｂは移動体通信網側のＳＩＰゲートウェイ（ＳＩＰＧ／Ｗ），６５ａはインターネット６３に接続され移動機６０ｄ，６０ｅやＰＣ６０ｂ，６０ｃをユーザデータ部に接続するウェブサーバ，６５ｂはメールの転送を行うＳＭＴＰ（Simple Mail Transfer Protocol)リレーサーバ，６６はプロトコルの変換を行うオプティマイザ，６７はインターフェイスの機能を持つサービスアクセスポイント（ＳＡＰ），６８はサーバとして機能するユーザデータ部であり，６８ａは加入者のプレゼンス情報を管理するプレゼンスサーバ，６８ｂは各加入者のバディリスト（プレゼンスを通知する相手先）を管理するバディリストサーバ，６９は移動機同士または移動機とＰＣ間のチャットサービスを提供するチャット部である。
【００１１】
移動機６０ｄ，６０ｅを含むプレゼンス表示システムのプレゼンスサーバ６８ａには，各ユーザのプレゼンス情報が記憶され，ＳＩＰフォン６０ａとＳＩＰゲートウェイ（企業側）６４ａを含むＳＩＰフォンシステムのプレゼンス情報はＳＩＰゲートウェイ（企業側）６４ａに記憶されている。プレゼンスサーバ６８ａのプレゼンス情報に変更があると，プレゼンスサーバ６８ａはＳＩＰゲートウェイ（移動体通信網側）６４ｂを介して，ＳＩＰゲートウェイ（企業側）６４ａにプレゼンス情報の変更を通知する。逆に，ＳＩＰフォンシステムのプレゼンス情報に変更があったとき，ＳＩＰゲートウェイ（企業側）６４ａはＳＩＰゲートウェイ（移動体通信網側）６４ｂを介してプレゼンスサーバ６８ａにプレゼンスの変更を通知する。これにより２つの通信網間でプレゼンス情報の同期を取ることができる。
【００１２】
各サービスの利用状況（プレゼンス状態）は，各サービスごとに独立してサービス利用状況の参照が可能である。このため，複数のサービスを受けているユーザは，各サービスにログインし，サービス利用状況を参照していた。更に，通信相手が該当サービスにログインしていない場合，何故ログインしていないのかが全く分からない状況である。
【特許文献１】特開２００５−１９０２８７号公報
【発明の開示】
【発明が解決しようとする課題】
【００１３】
ＩＰ網のユーザに対して種々のサービスが提供されるようになった。例えば，音声・映像通信サービスや，画像・音楽等のコンテンツ配信サービスや，その他の各種のサービスがＩＰ網に設けた各サービス用のサーバにより提供されるようになっている。従来は各サービスの利用状況（プレゼンス状態）は，各サービス毎に独立してサービス利用状況（プレゼンス状態）の参照が可能である。このため，複数のサービスを受けているユーザは，各サービスにログインし，サービス利用状況を参照していた。更に，通信相手が該当サービスにログインしていない場合，何故ログインしていないのかが全く分からない状況である。
【００１４】
一方，上記の図７に示す技術（特許文献１）は，移動体通信網と企業内の電話網のそれぞれの網内にプレゼンス管理の機構を備えることが前提であり，異なる電話網のプレゼンスサーバ間でプレゼンス情報の同期をとって管理する技術であり，一つのサービスを受けるユーザ端末が他のサービスにログインするユーザ端末の利用状況（プレゼンス状態）を知ることができないという問題があった。
【００１５】
本発明は通常のサービスを提供するサーバにログインする端末の知り合いの端末が他のサービスを提供するサーバにログインしてサービスを受ける状態になると，その状態を通常のサービスを受ける端末に対して通知され，サービス利用状況を知ることができる異なるサービス間でのサービス利用状況の共有方式を提供することを目的とする。
【課題を解決するための手段】
【００１６】
図１は本発明の原理構成を示す図である。図中，１は音声・映像通信サービスのような通常サービスとは異なる他のサービス（例えば，コンテンツ配信サービス）を提供するサーバに接続するプレゼンス機能を持つ端末（ユーザＣ），２は他のサービス用サーバ，２０は他のサービス用サーバ２にログインし，サービスを受ける等の状態になったことを通常サービス用プレゼンスサーバ４に通知する状態通知部，２ａは他のサービス用サーバ側のＳＩＰゲートウェイ（ＳＩＰ−ＧＷ），２ｂはＳＩＰゲートウェイ２ａと接続された通常サービス用プレゼンスサーバ，３はＳＩＰのプロトコルにより通常サービスのためのセッションの接続，切断の制御を行うＳＩＰサーバ，３ａは通常サービスを要求する端末からの信号を受け付ける信号受付部，３ｂは信号分析部，３ｃは信号処理部，４は通常サービス用プレゼンスサーバ，４ａは信号分析受付部，４ｂは管理対象ユーザ管理部，４ｃはＳＩＰサーバ３により提供される通常サービスではない他のサービスを受ける加入者（利用者端末）データを管理する仮想加入者データ管理部，４ｄは後述する加入者データ格納部４２に設定された気に入りリストに登録された相手（例えば，端末６ａ）に対しプレゼンス情報を通知する気に入りデータ処理部，４ｅは周期起動処理部である。
【００１７】
４０はプレゼンス情報の参照を許可するか否かの情報が登録されたプレゼンス参照許可データ格納部，４１は他のサービス（通常サービス用ＳＩＰサーバ以外のサーバにより提供するサービス）を受ける加入者のプレゼンス情報を格納する仮想加入者データ格納部，４２は通常サービスを受ける利用者について従来のプレゼンスユーザデータ格納部（図６の５２０）と同様の各データ（日付・時間，プレゼンス状態，気に入りリスト等）を格納した加入者データ格納部，５はプレゼンスサーバ４のプレゼンス参照許可データ格納部４０への登録や，保守操作が可能な保守端末，６ａ，６ｂは通常サービスを受けるプレゼンス機能を持つ端末である。
【００１８】
なお，図１の端末１，他のサービス用サーバ２，通常サービス用ＳＩＰサーバ３，通常サービス用プレゼンスサーバ４（保守端末５を含む），端末６ａ，６ｂの各装置はインターネットと接続されている。
【００１９】
各サービスを利用するユーザ（端末）に対して，プレゼンス情報を参照するか否かの情報を，プレゼンスサーバ４のプレゼンス参照許可データ格納部４０に保守端末５から登録されているものとする。また，他のサービスを受けるユーザ（端末）についてのプレゼンス情報（現在のログインしているサービスの種別，状態）が本発明により設けた仮想加入者データ格納部４１に設定して，そのデータの管理はプレゼンスサーバ４で行う。
【００２０】
加入者データ格納部４２には通常サービス用ＳＩＰサーバによるサービスを受けるプレゼンス機能を持つユーザ（端末）のためのプレゼンス情報が格納されており，その内容は従来例と同様である。
【００２１】
他のサービス用サーバ２に対して端末１からログインして，そのサービス（例えば，コンテンツ配信サービス）を受け取る処理が実行されると，他のサービス用サーバ２に備えられた状態通知部２０は，そのサービスを受けている端末１の状態を表す情報（プレゼンス情報）を，ＳＩＰ（Session Initiation Protocol)またはＳＩＭＰＬＥのプロトコルのメッセージの中の一つのメッセージ（例えば，ＩＮＶＩＴＥ）を用い，その中のユーザがオプションで使用可能な部分を用いてＳＩＰゲートウェイサーバ２ａ，ＳＩＰゲートウェイサーバ２ｂを介して通常サービス用プレゼンスサーバ４（以下，単にプレゼンスサーバという）に送信する。プレゼンスサーバ４では信号分析受付部４ａで分析，受付を行い，管理対象ユーザ管理部４ｂではメッセージの中のプレゼンス情報から，端末１が通常サービスを受けているか否かを判別し，通常サービスを受ける端末であって，プレゼンス参照許可データ格納部４０に参照許可（または参照許容）の端末であることが分かると，既存の加入者データ格納部４２に当該端末１のプレゼンス情報が格納される。
【００２２】
また，他のサービス用サーバ２によるサービスを受けるユーザ（端末）であることが分かると，プレゼンス参照許可データ格納部４０に参照許可（または参照許容）が設定されているか判別し，参照許可が設定されていることが分かると，仮想加入者データ管理部４ｃを駆動し，端末１のプレゼンス情報を仮想的に生成し，仮想加入者データ格納部４１の割当領域（新規であれば新たな領域，以前に割当てられているとその領域）にその端末のユーザ名，サービス種別やプレゼンス情報の登録（または更新），日付・時間を登録する。
【００２３】
一方，気に入りデータ処理部４ｄは，仮想加入者データ格納部４１に登録された他のサービスを受ける加入者（端末１）が，加入者データ格納部４２に設定された通常サービスを受けるユーザに対して登録された「気に入りリスト」に設定されているかを検索し，検出された場合にはその気に入りリストが設定されたユーザ端末（図１の端末６ａ）に対して，他のサービスを受けているユーザ（端末１のユーザ）の利用状況の変更（ログイン状態に変化）をプレゼンス情報通知（ＮＯＴＩＦＹ）のメッセージにより通知する。
【００２４】
他のサービス用サーバ２によるサービスを受けている加入者が他のサービスをログアウトすると，ログイン時と同様に状態通知部２０からログアウトへの状態変化が通知され，仮想加入者データ管理部４ｃで仮想加入者データ格納部４１の当該ユーザ端末１の状態をその時の時間情報と共に「ログアウト」に設定する。このログアウト状態になると，通常サービス用プレゼンスサーバ４の周期起動処理部４ｅが予め設定された周期で起動され，仮想加入者データ格納部４１に格納された各仮想加入者データをチェックし，状態が「ログアウト」に設定されていると，そのデータ領域を解放（領域を空き状態に設定）する。
【発明の効果】
【００２５】
本発明によりプレゼンスサーバにログインしているユーザは，その一つのサービス（プレゼンスサービス）の利用状況だけでなく，他のユーザ端末による他のサービスへのログイン等の利用状況の通知を受けることが可能となる。これにより，他のサービスを受ける相手状態に応じて効率的に相手との通信を行うことができる。
【発明を実施するための最良の形態】
【００２６】
図２は実施例のシステムのブロック構成を示す図である。図中，１，２，２ａ，２ｂ，４，５，６ａは上記図１に示す同一符号の各部に対応し，１はコンテンツ配信サーバにアクセスする端末，２は図１の他のサービス用サーバに対応するコンテンツ配信サーバ，２ａはコンテンツ配信サーバ側のＳＩＰゲートウェイサーバ（ＳＩＰ−ＧＷ），２ｂは音声・映像通信サービス側のＳＩＰゲートウェイサーバ（ＳＩＰ−ＧＷ），４は図１の通常サービス用プレゼンスサーバに対応する音声・映像通信サービス用プレゼンスサーバ，４０はプレゼンス参照許可データ格納部であり，内部には各ユーザ名毎にそれぞれプレゼンス情報の参照の許容／非許容が設定されている。４１は仮想加入者データ格納部（ｎ人分のユーザ領域）であり，仮想加入者データ格納部４１内の４１０はデータ登録空塞表であり，仮想加入者データの格納領域４１１（ｎ）内の加入者別の各領域４１１（ｎ）の空，塞に対応したビットの列が設けられ，仮想加入者が割り当てられた塞の場合は「０」，割り当てられてない空きの場合は「１」が設定される。仮想加入者のそれぞれに割り当てられた領域４１１（ｎ）は，複数項目のデータで構成され，４１１ａ（ｎ）はユーザ名（番号で表す），４１１ｂ（ｎ）はコンテンツ種別，４１１ｃ（ｎ）はプレゼンス状態（コンテンツ配信，ログアウト等），４１１ｄ（ｎ）は日付・時間（プレゼンス状態が登録又は変更された時間）を表す。
【００２７】
４２は加入者データ格納部であり，加入者データ格納部４２の内部の４２０は音声・映像通信サービスを受ける各加入者（ユーザ）のデータであり，４２０ａ〜４２０ｄとで構成される。４２０ａはユーザ名（番号），４２０ｂはユーザのＩＰ−ＡＤ（アドレス），４２０ｃはＳＩＰ−ＵＲＬ（Uniform Resource Location)，４２０ｄは気に入りリストである。
【００２８】
４３はプレゼンス信号分析部，４４はユーザ分析部，４５は呼状態受付部，４６はプレゼンス管理対象ユーザ管理部，４７は仮想加入者データ管理部，４７０はデータエリア捕捉部，４７１は時刻設定部，４７２はプレゼンス設定部，４８は周期起動受付部，４８０は保留時間判定部，４８１は現在時刻収集設定部，４９は気に入り登録対象者への通知部である。５は保守端末，６ａはプレゼンス状態を受ける端末（パソコン等）である。なお，図２にも音声・映像通信サービスのＳＩＰサービスを提供するためのＳＩＰサーバ（図１の３に相当）が図示省略されている。
【００２９】
図３は図２に示す各装置のネットワークにおける配置関係を示す図である。図中，１，２，２ａ，２ｂ，４，６ａの各符号は図２の同一符号と同じ名称であり，３はＳＩＰサーバ（図１と同じ），６ｂは６ａとプレゼンス状態を受ける端末（図１と同じ）である。また，７０はコア・ネットワーク（ＩＰｖ６に対応）であり，各端末１，６ａ，６ｂが収容され，７１はコンテンツ配信サーバ２を含むコンテンツ配信サービスを表し，７２はＳＩＰサーバ３やプレゼンスサーバ４を含む音声・映像通信サービスを表す。７ａ〜７ｄはコアネットワーク７０に設けられ，各端末１，６ａ，６ｂが各サービスを提供するサーバ２，３と接続する時に使用するルータ（またはエッジルータ）である。
【００３０】
図４，図５は実施例の動作シーケンス（その１），（その２）である。
【００３１】
この動作シーケンスの例では，最初に端末１のユーザＣ（番号Ｚ）からコンテンツ配信サービスを受けるためにコンテンツ配信サーバ２にログインすると（図４のａ），コンテンツ配信サーバ２は，音声・映像通信サービスのプレゼンスサーバ４に対し，ＳＩＰまたはＳＩＭＰＬＥのプロトコルで使用するメッセージであるＩｎｖｉｔｅを用いて端末１（ユーザＣ）のプレゼンス情報を通知する。すなわち，このメッセージのＳＩＰヘッダオプション（ＳＩＰのユーザが任意に使用可能）を使用して「サービス種別：コンテンツ配信サービス，ユーザ名：番号Ｚ，利用状況：ログイン」というプレゼンス情報を設定して送信する。プレゼンスサーバ４はこれを受け取ると，仮想加入者データ格納部（図２の４１）に登録済みか判別し（図４のＳ１），登録されてないとユーザＣの仮想加入者データを生成する（同Ｓ２）。ステップＳ１で登録されていると判断された場合及びステップＳ２に続いて仮想加入者データのプレゼンス状態を更新する（同Ｓ３）。次に加入者データ格納部（図２の４２）の中の各ユーザに対応する「気に入りリスト４２０ｄ」について「ユーザＣ」（番号Ｚ）があるか検索し（図４のＳ４），一致するものがあるか判別し（同Ｓ５），一致が検出されると当該気に入りリストが登録された加入者データのユーザ名であるユーザＡ（番号Ｘ）に対してプレゼンス変更通知を行う（図４のｇ）。この通知の内容は，ユーザ名が番号Ｚ，サービス種別がコンテンツ配信，プレゼンス状態がログインとコンテンツ配信開始，である。これを受け取ったユーザＡ（６ａ）からコンテンツ配信サーバ２に対してＯＫの応答を送信する（図４のｈ）。
【００３２】
その後，端末１のユーザＣ（番号Ｚ）からコンテンツ配信サーバ２に対してログアウトの処理を行うと（図５のｉ），コンテンツ配信サーバ２は，音声・映像通信サービスのプレゼンスサーバ４に対し，ＳＩＰ（またはＳＩＭＰＬＥ）のＩｎｖｉｔｅのメッセージのプレゼンス情報を通知する。そのメッセージにはＳＩＰヘッダオプションにより「サービス種別：コンテンツ配信サービス，ユーザ名：番号Ｚ，利用状況：ログアウト」という情報が設定される。プレゼンスサーバ４はこれを受け取ると，仮想加入者データ格納部（図２の４１）のプレゼンス状態を更新し（図５のＳ６），加入者データ格納部（図２の４２）の中の各ユーザに対応する「気に入りリスト」（図２の４２０ｄ）についてユーザＣ（番号Ｚ）を検索し（図５のＳ７），一致するものがあるか判別する（同Ｓ８）。一致するものが有ることが分かると，当該気に入りリストが登録された加入者データのユーザ名であるユーザＡ（番号Ｘ）に対してプレゼンス変更通知を行う（図５のｌ）。この通知の内容は，ユーザ名が番号Ｚ，サービス種別がコンテンツ配信，プレゼンス状態がログアウト，コンテンツ配信開始／停止である。これを受け取ったユーザＡ（６ａ）からプレゼンスサーバ４に対して「ＯＫ」を返送すると（図５のｍ），プレゼンスサーバ４からコンテンツ配信サーバ２に「ＯＫ」を返送する。
【００３３】
その後，一定時間中断し（図５のＳ９），タイムアウトすると，プレゼンスはログアウト状態か判別し（図５のＳ１０），ログアウト状態である場合は，当該ユーザＣの仮想加入者データを削除し（同Ｓ１１），ログアウト状態でない場合はそのまま維持する。
【００３４】
このようにプレゼンスサーバ４の仮想加入者データ格納部４１に設定された他のサービス（コンテンツ配信サービス）を利用する端末（ユーザ）の状態が，プレゼンスサーバにログインしている加入者（端末）に対して通知され，他のサービスの利用状況を知らせることができる。
【００３５】
プレゼンスサーバ４の周期起動受付部４８は，一定周期毎（例えば，３０分毎，１時間毎，２４時間毎，一週間に１回等）に起動し，起動すると仮想加入者データ格納部４１のデータ登録空塞表４１０のフラグがオン，且つプレゼンス状態がログアウト（切断）のものを検出すると，仮想加入者データ格納部４１のデータ登録空塞表４１０の該当データに対応するフラグ（ビット）をオフ（“１”）へ設定して，当該ユーザが使用していたデータの領域を空き領域として設定する。
【００３６】
（付記１）  端末に対し通常サービス用のセッションの制御を行うＳＩＰサーバと端末のプレゼンス情報を管理するプレゼンスサーバとを備えると共に他のサービス用サーバとＳＩＰゲートウェイサーバを介して接続されたＩＰ対応のネットワークにおける異なるサービス間でのサービス利用状況の共有方式において，前記他のサービス用サーバは当該サービスを要求する端末によるログイン，サービス開始等の状態の発生に対し，サービスの提供を行うと共に前記通常サービス用のプレゼンスサーバに対し前記ＳＩＰゲートウェイサーバを介して前記端末の状態を通知する手段を備え，前記プレゼンスサーバは，前記他のサービスを受ける端末のプレゼンス情報を格納する仮想加入者データ格納部を備え，前記他のサービス用サーバからの状態通知を受け取ると当該端末のプレゼンス情報を前記仮想加入者データ格納部に設定し，前記仮想加入者データ格納部に設定された利用者のプレゼンス情報は，前記他のサービス用サーバの利用者と関係を有する通常サービスの利用者の端末に対して通知されることを特徴とする異なるサービス間でのサービス利用状況の共有方式。
【００３７】
（付記２）  付記１において，前記プレゼンスサーバは，前記他のサービス用サーバの利用者が自端末のプレゼンス情報を他の利用者により参照することを許可するか否かの情報が予め登録されたプレゼンス参照許可データ格納部を備え，前記他のサービス用サーバから前記状態通知を受け取ると，前記プレゼンス参照許可データ格納部を参照して，許可することが登録されていると，前記仮想加入者データ格納部へプレゼンス情報を設定することを特徴とする異なるサービス間でのサービス利用状況の共有方式。
【００３８】
（付記３）  付記１において，前記プレゼンスサーバは，前記ＳＩＰサーバによる通常サービスを受ける加入者の情報として，各加入者毎にユーザ名，アドレス情報と共にプレゼンス情報を通知して欲しいユーザのリストが登録された加入者データ格納部を備え，前記プレゼンスサーバは，前記他のサービスの利用者からの状態通知を受け取って前記仮想加入者データ格納部に設定すると，前記加入者データ格納部を検索して，前記ユーザのリストに前記他のサービスの利用者が登録されていると前記加入者データ格納部の対応する加入者に対して当該他のサービスの利用者の状態を通知することを特徴とする異なるサービス間でのサービス利用状況の共有方式。
【００３９】
（付記４）  付記１において，前記仮想加入者データ格納部は，前記他のサービス用サーバの各利用者に割当てることが可能な複数のデータ領域の使用状態を各領域に対応したフラグで表すデータ登録空塞表を備え，前記プレゼンスサーバは前記データ登録空塞表を参照して領域を管理することを特徴とする異なるサービス間でのサービス利用状況の共有方式。
【００４０】
（付記５）  付記１において，前記仮想加入者データ格納部に各データ領域の空・塞を表すデータ登録空塞表を設け，前記プレゼンスサーバは，予め設定された周期で起動して，利用者用のデータ領域が塞がりに設定され，そのプレゼンス情報が「未ログイン」の状態であると現在の時間と前記登録された時間情報が予め設定された時間を経過しているか判別し，設定された時間を越えていることを検出すると前記データ登録空塞表の対応するフラグをオフに設定することを特徴とする異なるサービス間でのサービス利用状況の共有方式。
【００４１】
（付記６）  付記１乃至５の何れかにおいて，前記通常サービス用のセッションの制御を行うＳＩＰサーバは音声・映像通信サービスを提供し，前記他のサービス用サーバはコンテンツ配信サービスを提供することを特徴とする異なるサービス間でのサービス利用状況の共有方式。
【図面の簡単な説明】
【００４２】
【図１】本発明の原理構成を示す図である。
【図２】実施例のシステムのブロック構成を示す図である。
【図３】図２に示す各装置のネットワークにおける配置関係を示す図である。
【図４】実施例の動作シーケンス（その１）を示す図である。
【図５】実施例の動作シーケンス（その２）を示す図である。
【図６】従来のプレゼンス情報管理のシステムの構成を示す図である。
【図７】提案されたプレゼンス表示システムを示す図である。
【符号の説明】
【００４３】
１        他のサービスを提供するサーバにアクセスする端末（ユーザＣ）
２        他のサービス用サーバ
２０      状態通知部
２ａ      他のサービス用サーバ側のＳＩＰゲートウェイサーバ（ＳＩＰ−ＧＷ）
２ｂ      通常サービス用プレゼンスサーバ側のＳＩＰゲートウェイサーバ（ＳＩＰ−            ＧＷ）
３        通常サービス用ＳＩＰサーバ
３ａ      信号受付部
３ｂ      信号分析部
３ｃ      信号処理部
４        通常サービス用プレゼンスサーバ
４ａ      信号分析受付部
４ｂ      管理対象ユーザ管理部，
４ｃ      仮想加入者データ管理部
４ｄ      気に入りデータ処理部
４ｅ      周期起動処理部
４０      プレゼンス参照許可データ格納部
４１      仮想加入者データ格納部
４２      加入者データ格納部
５        保守端末
６ａ，６ｂ    プレゼンス機能を持つ端末
【図１】
0005512919.tif 000002
【図２】
0005512919.tif 000003
【図３】
0005512919.tif 000004
【図４】
0005512919.tif 000005
【図５】
0005512919.tif 000006
【図６】
0005512919.tif 000007
【図７】
0005512919.tif 000008